(57)【要約】【課題】  厳重に管理することが要求される薬剤等を、他の薬剤等と同様に保冷庫に保管しつつ、確実に個別管理を可能とする保冷庫を提供する。【解決手段】  本発明の保冷庫１は、断熱箱体により構成される本体４内の貯蔵室５を複数の扉２、３にて開閉自在に閉塞すると共に、貯蔵室５内に冷気を循環して成るものであって、各扉３にて開閉される貯蔵室５内の領域間を相互に仕切る仕切部材６を備え、この仕切部材６は、通気性を有しながら各領域間における物品の移動を阻止すると共に、垂直方向、斜め上下方向及び水平方向の移動が規制されている。【選択図】図２
2006162106.tif 000002
【特許請求の範囲】
【請求項１】
断熱箱体内に構成された貯蔵室を複数の扉にて開閉自在に閉塞すると共に、前記貯蔵室内に冷気を循環して成る保冷庫において、
前記各扉にて開閉される前記貯蔵室内の領域間を相互に仕切る仕切部材を備え、該仕切部材は、通気性を有しながら前記各領域間における物品の移動を阻止すると共に、垂直方向、斜め上下方向及び水平方向の移動が規制されていることを特徴とする保冷庫。
【請求項２】
前記仕切部材は、フィルタ機能を備えていることを特徴とする請求項１に記載の保冷庫。
【請求項３】
前記扉はドロワータイプの扉であり、前記貯蔵室側に位置して当該扉と共に引き出される物品収納用の籠と、該籠の下方に配置されたトレイを備えていることを特徴とする請求項１又は請求項２の何れかに記載の保冷庫。
【請求項４】
前記扉はドロワータイプの扉であり、前記貯蔵室側に位置して当該扉と共に引き出され、内部が複数室に仕切られた物品収納用の収納部材と、該収納部材内の各室の開口をそれぞれ開閉する小扉と、各小扉を施錠するための小扉用施錠手段とを備えていることを特徴とする請求項１又は請求項２の何れかに記載の保冷庫。
【請求項５】
前記各扉にて開閉される前記貯蔵室内の各領域の温度をそれぞれ検出するための温度検出手段と、各温度検出手段が検出した温度を表示する表示手段とを備えていることを特徴とする請求項１、請求項２、請求項３又は請求項４の何れかに記載の保冷庫。
【請求項６】
前記各扉に対応してＩＤを入力するためのＩＤ入力手段を備えていることを特徴とする請求項１、請求項２、請求項３、請求項４又は請求項５の何れかに記載の保冷庫。
【請求項７】
前記各温度検出手段及びＩＤ入力手段からの情報を外部に出力するための出力手段を備えていることを特徴とする請求項５又は請求項６の何れかに記載の保冷庫。
【請求項８】
前記各扉をそれぞれ施錠するための扉用施錠手段と、各扉用施錠手段をそれぞれ制御する制御手段とを備えていることを特徴とする請求項１、請求項２、請求項３、請求項４、請求項５、請求項６又は請求項７の何れかに記載の保冷庫。
【発明の詳細な説明】
【技術分野】
【０００１】
本発明は、貯蔵室内に複数の物品収容領域を形成し、これら各物品収容領域に対しそれぞれ別々に開閉可能とする扉を備えた保冷庫に関するものである。
【背景技術】
【０００２】
例えば、病院や研究所などでは、所定の冷却温度にて保存することが要求される薬剤や生物由来試料などを保存するため、冷却機能を備えた保冷庫が用いられる。従来、用いられている保冷庫は、前面に開口する本体内に貯蔵室を形成し、当該貯蔵室内を例えば圧縮機や凝縮器、冷却器等により所定の冷凍サイクルを構成する冷却装置により、所定温度に冷却する。この本体に収納される物品には、種々の薬剤や生体から採取された試料などもあり、個別に収容領域が区画された収容室に収納することが望まれる。
【０００３】
そこで、貯蔵室内に複数段の引き出しを設け、各引き出し内にそれぞれの薬剤や試料を保存することが考えられる。しかし、各引き出し内に形成される収容室には、上述した如き薬剤や試料などが保存されるが、薬剤や試料によっては、取扱者が限定されている場合や、管理を厳密に行う必要があるものもある。
【０００４】
このような薬剤や試料を管理者以外の者が取り出せる状況に置かれた場合、故意に薬剤等を不正使用しようとする者等により、盗難や悪戯される問題があるため、各引き出しの扉部には、施錠手段などを備え、管理者以外が当該薬剤等に触れることを防止していた。尚、従来技術として、複数の収容室を備え、これら収容室内を冷却装置により所定の温度に冷却するものとして特許文献１に示す如きロッカータイプの冷蔵庫を示す。
【特許文献１】特開２００２−１０７０３９号公報
【発明の開示】
【発明が解決しようとする課題】
【０００５】
しかしながら、上述した如き保冷庫には、厳密に管理される以外の薬剤等も収容されるため、施錠が行われない引き出しなどもある。この場合、当該解錠されている引き出しを全て引き出すことで、下側に形成される引き出しの物品収容室内の物品を取り出すことが可能となるため、施錠が行われている引き出し内の物品であるにも拘わらず、取り出されてしまうおそれがある。また、解錠されている引き出しが無い場合であっても、他の管理者が自己が管理している引き出しを全て引き出すことで、自己が管理している引き出し以外の引き出しの物品収容室内の物品を取り出すことが可能となる。
【０００６】
そのため、厳重な管理を必要とする薬剤等を他者に持ち出されない状況で所定の温度に冷却するには、当該薬剤等専用の保冷庫を設置する必要があった。
【０００７】
そこで、本発明は従来の技術的課題を解決するために成されたものであり、厳重に管理することが要求される薬剤等を、他の薬剤等と同様に保冷庫に保管しつつ、確実に個別管理を可能とする保冷庫を提供することを目的とする。
【課題を解決するための手段】
【０００８】
本発明の保冷庫は、断熱箱体内に構成された貯蔵室を複数の扉にて開閉自在に閉塞すると共に、貯蔵室内に冷気を循環して成るものであって、各扉にて開閉される貯蔵室内の領域間を相互に仕切る仕切部材を備え、この仕切部材は、通気性を有しながら各領域間における物品の移動を阻止すると共に、垂直方向、斜め上下方向及び水平方向の移動が規制されていることを特徴とする。
【０００９】
請求項２の発明の保冷庫は、上記発明において、仕切部材は、フィルタ機能を備えていることを特徴とする。
【００１０】
請求項３の発明の保冷庫は、上記各発明において、扉はドロワータイプの扉であり、貯蔵室側に位置して当該扉と共に引き出される物品収納用の籠と、この籠の下方に配置されたトレイを備えていることを特徴とする。
【００１１】
請求項４の発明の保冷庫は、請求項１又は請求項２の発明において、扉はドロワータイプの扉であり、貯蔵室側に位置して当該扉と共に引き出され、内部が複数室に仕切られた物品収納用の収納部材と、該収納部材内の各室の開口をそれぞれ開閉する小扉と、各小扉を施錠するための小扉用施錠手段とを備えていることを特徴とする。
【００１２】
請求項５の発明の保冷庫は、上記各発明において、各扉にて開閉される貯蔵室内の各領域の温度をそれぞれ検出するための温度検出手段と、各温度検出手段が検出した温度を表示する表示手段とを備えていることを特徴とする。
【００１３】
請求項６の発明の保冷庫は、上記各発明において、各扉に対応してＩＤを入力するためのＩＤ入力手段を備えていることを特徴とする。
【００１４】
請求項７の発明の保冷庫は、請求項５又は請求項６の発明において、各温度検出手段及びＩＤ入力手段からの情報を外部に出力するための出力手段を備えていることを特徴とする。
【００１５】
請求項８の発明の保冷庫は、上記各発明において、各扉をそれぞれ施錠するための扉用施錠手段と、各扉用施錠手段をそれぞれ制御する制御手段とを備えていることを特徴とする。
【発明の効果】
【００１６】
本発明によれば、断熱箱体内に構成された貯蔵室を複数の扉にて開閉自在に閉塞すると共に、貯蔵室内に冷気を循環して成る保冷庫において、各扉にて開閉される貯蔵室内の領域間を相互に仕切る仕切部材を備え、この仕切部材は、通気性を有しながら各領域間における物品の移動を阻止すると共に、垂直方向、斜め上下方向及び水平方向の移動が規制されているので、貯蔵室内の通気性を確保しながら、貯蔵室内の各領域間に収納される収納物品の移動を不可能とすることができる。そのため、当該仕切部材の各隙間から手指や細長い部材などを挿入することにより他の領域に収納される収納物品を把持することが可能となった場合でも、物品までの移動は当該仕切部材により阻止されることから、各収納領域の個別管理を確保することができるようになる。
【００１７】
また、当該仕切部材は、垂直方向、斜め上下方向及び水平方向の移動が規制されているため、仕切部材自体を手で外すことが不可能となり、各収納領域の個別管理をより確実に確保することができるようになる。
【００１８】
また、請求項２の発明によれば、上記発明において、仕切部材は、フィルタ機能を備えているので、貯蔵室内を循環する冷気中の粉塵などを効果的に捕獲することができるようになる。これにより、貯蔵室内の衛生状態を確保することができるようになる。
【００１９】
また、請求項３の発明によれば、上記各発明において、扉はドロワータイプの扉であり、貯蔵室側に位置して当該扉と共に引き出される物品収納用の籠と、この籠の下方に配置されたトレイを備えているので、物品が収容された籠ごと扉から取り外しが可能となり、利便性が向上する。特に、物品を収容する籠は、通気性に優れているため、当該領域内への通風を良好とすることができ、保冷庫全体を均一な温度に冷却することができるようになる。また、当該籠の下方にはトレイが配置されているため、籠内の物品が破損等した場合であっても、当該物品の中身が下の段の収納領域にまで落下し、保冷庫全体が汚染されてしまう不都合を抑制することができるようになる。
【００２０】
請求項４の発明によれば、請求項１又は請求項２の発明において、扉はドロワータイプの扉であり、貯蔵室側に位置して当該扉と共に引き出され、内部が複数室に仕切られた物品収納用の収納部材と、該収納部材内の各室の開口をそれぞれ開閉する小扉と、各小扉を施錠するための小扉用施錠手段とを備えているので、更に細かく収納領域を区画して個別管理することが可能となる。特に、収納部材内は各室の小扉ごとに小扉用施錠手段が設けられているため、小扉ごとに当該施錠手段の解錠が可能な者のみが当該室を管理することが可能となり、当該室内に収容される物品の盗難や悪戯を防止することができるようになる。
【００２１】
また、請求項５の発明によれば、上記各発明において、各扉にて開閉される貯蔵室内の各領域の温度をそれぞれ検出するための温度検出手段と、各温度検出手段が検出した温度を表示する表示手段とを備えているので、各領域ごとに温度管理が可能となる。
【００２２】
また、請求項６の発明によれば、上記各発明において、各扉に対応してＩＤを入力するためのＩＤ入力手段を備えているので、各領域ごとに当該扉に対応する物品収納領域内の物品の在庫管理や保安管理などを管理者別に電気的に行うことが可能となる。
【００２３】
また、請求項７の発明によれば、請求項５又は請求項６の発明において、各温度検出手段及びＩＤ入力手段からの情報を外部に出力するための出力手段を備えているので、外部から各温度検出手段及びＩＤ入力手段からの情報を取り出すことが可能となり、遠隔地においても当該領域の温度管理や情報管理を行うことができるようになる。
【００２４】
請求項８の発明によれば、上記各発明において、各扉をそれぞれ施錠するための扉用施錠手段と、各扉用施錠手段をそれぞれ制御する制御手段とを備えているので、電気的に施解錠を実現することが可能となり、より一層利便性が向上する。
【発明を実施するための最良の形態】
【００２５】
本発明の保冷庫は、特に病院や研究所などに設置される冷却装置を備えた収納庫であり、取扱者が限定される若しくは、厳重な管理が必要とされる薬剤や生体試料を保管するのに用いられるものとする。以下、薬剤の保冷庫として説明するが、本発明はこれ以外に通常の冷却機能を備えた収納庫、例えば、上記特許文献１で示したようなロッカータイプの貯蔵庫としても用いることができるものとする。
【００２６】
以下、本発明の保冷庫１について図１乃至図３を参照して説明する。図１は本発明の保冷庫１正面図、図２は保冷庫１の扉２及び一部のドロワータイプの扉３を取り外した状態の正面図、図３は図２の保冷庫１の縦断側面図を示している。本実施例の保冷庫１は、前面に開口を有する断熱箱体により本体４が構成され、この本体４内には貯蔵室５が形成される。この貯蔵室５の前面には、上部に観音開きタイプの扉２、２及び当該扉２、２の下方において左右に一つずつ上下方向に三段に渡って詳細は後述するドロワータイプの扉３・・が開閉自在に取り付けられている。
【００２７】
貯蔵室５には、これら扉２及び３・・に対応して本実施例では上下に３つの仕切部材６・・が取り付けられ、扉２の後方に上段収容領域５Ａ、最上段のドロワータイプの扉３、３の後方にドロワー用上段収納領域５Ｂ、中段のドロワータイプの扉３、３の後方にドロワー用中段収納領域５Ｃ、下段のドロワータイプの扉３、３の後方にドロワー用下段収納領域５Ｄが区画形成される。
【００２８】
この仕切部材６は、通気性を有すると共に、各領域間における物品の移動を阻止可能なものとして、例えば金属性材料にて形成される格子により構成されている。図５の上側に当該仕切部材６の平面図を示す。この仕切部材６は、図４の仕切部材６の部分拡大図に示すように貯蔵室５側に開口する断面略コ字状に形成され、貯蔵室５の両側面に前後に渡って構成される仕切部材取付レール７、７に前方から挿入することにより保持される。当該仕切部材取付レール７は、図４に示すように貯蔵室５側の開口からネジ８、８により直接断熱箱体２の内壁に螺着することにより固定されている。そのため、当該仕切部材取付レール７は、仕切部材６が挿入された状態では、ネジ８を取り外すことができない状態とされている。尚、図４では、ドロワー用上段収納領域５Ｂと中段収納領域５Ｃとの間を区画する仕切部材６について図示している。
【００２９】
また、本実施例において、仕切部材取付レール７、７に収容された仕切部材６の前端は、図５に示すように中央部が後方に凹んだ形状（回避部６Ａ）とされている。この仕切部材６の回避部６Ａに対応して貯蔵室５の前面開口縁に、上下に渡って中仕切部材９が取り付けられている。そして、各仕切部材６の前方には、当該中仕切部材９及び断熱箱体開口縁に渡って前板１１がそれぞれ取り付けられている。各前板１１は、各ドロワータイプの扉３の上部後面に位置している。
【００３０】
これにより、各前板１１及び中仕切部材９の前面は、各扉２又は３が閉じられた状態で、各扉の後端縁が当接しているため、仕切部材６は、各前板１１及び中仕切部材９を取り外さない限り、前方に引き出して外すことができない状態とされている。
【００３１】
係る構成により、各仕切部材６は、仕切部材取付レール７の上下縁により垂直方向及び斜め上下方向の移動が規制されると共に、中仕切部材９及び各前板１１により水平方向の移動が規制されている。
【００３２】
尚、当該仕切部材６は、図６及び図７に示すように下面にフィルタ保持部６Ｂが形成されている。図６は仕切部材６の正面図、図７は仕切部材６の側面図を示している。このフィルタ保持部６Ｂは、回避部６Ａを挟んで、左右に二つのフィルタ部材８、８を着脱自在に保持可能とすると共に、本実施例では前後に３つずつ前後方向に連通して構成される。
【００３３】
当該フィルタ保持部６Ｂに着脱自在に保持されるフィルタ部材８は、前端に把手８Ｂが形成され、前後に渡って複数の開口が形成された板状部材により構成されたフィルタ枠部材８Ａと、フィルタ枠部材８Ａの各開口を閉塞するフィルタ８Ｃとにより構成される。尚、当該フィルタ８Ｃは、フィルタ枠部材８Ａから着脱自在とされ、交換することが可能な構成としても良いものとする。
【００３４】
当該フィルタ部材８を仕切部材６の下面に形成されたフィルタ保持部６Ｂの前端から挿入することにより、フィルタ部材８が着脱自在に仕切部材６に取り付けられる。これにより、仕切部材６を通過する空気（冷気）は、フィルタ８Ｃを介して粉塵などが除去されることから、清浄化を図ることができるようになる。尚、本実施例では、仕切部材６に着脱自在なフィルタ部材８を設ける構成としているが、これ以外にも、仕切部材６の格子面に直接フィルタ機能を設ける構成としても良いものとする。
【００３５】
一方、本体４の上面には、図３に示すように機械室１２が形成されており、前記貯蔵室５内を所定温度に冷却するための冷却装置及び当該保冷庫１の冷却装置及び詳細は後述する施錠機構の制御等、保冷庫１全体の制御を行う主制御装置２０が設けられている。この冷却装置は圧縮機１３、凝縮器１４、図示しない凝縮器用送風機等から構成されている。尚、機械室１２の前面には、機械室前面パネル２１が開閉自在に取り付けられており、当該前面パネル２１の前面には、前記主制御装置２０に接続される主操作パネル２２及び表示部２３が設けられている。主操作パネル２２には、図示しないテンキーが設けられており、当該テンキーから後述するＩＤを入力することで、７セグメントＬＥＤを備える表示部２３に表示される。また、この表示部２３には、貯蔵室５に対し設けられる図示しない温度センサから出力される温度も表示される。
【００３６】
また、貯蔵室５の背面から上面には、断熱箱体の背面及び天井面と所定間隔を存して仕切壁１５が設けられており、当該断熱箱体と仕切壁１５との間に冷気ダクト１６を形成している。この仕切壁１５の天井面前部には、冷気吸込口１７が形成されていると共に、貯蔵室５内の各領域５Ａ、５Ｂ、５Ｃ、５Ｄに対応する位置にそれぞれ図示しない冷気吐出口が形成されている。そして、冷気ダクト１６には、前記機械室１２内の圧縮機１３と共に所謂冷凍サイクルを構成する図示しない冷却器と冷却器用送風機が配設されている。
【００３７】
これにより、冷却装置の圧縮機１２及び各送風機が運転されると、冷却器は冷却作用を発揮し、仕切壁１５に形成される各冷気吐出口から冷気が貯蔵室５内に吐出される。そして、貯蔵室５内に吐出された冷気は、通気性を有する各仕切部材６を通過して、当該貯蔵室５内を循環した後、仕切壁１５の天井面前部に形成された冷気吸込口１７から再び冷気ダクト１６内に吸い込まれる。これにより、貯蔵室５は、所定温度に冷却される。
【００３８】
また、本実施例において、仕切壁１５の背面には、冷気ダクト１６内に向けて紫外線を照射する紫外線照射装置１８が設けられている。これにより、冷気ダクト１６内を流通する冷気は、当該紫外線照射装置１８により照射される紫外線によって殺菌処理される。そのため、貯蔵室５内を循環する冷気を清浄化することができると共に、衛生状態を維持することができるようになる。特に、係る場合には、物品が収容される貯蔵室５内に直接照射する構成ではないため、紫外線により物品が変質する不都合を回避することができる。
【００３９】
次に図８を参照して前記ドロワータイプの扉３の構成について説明する。本実施例におけるドロワータイプの扉３は、前記貯蔵室５の開口に当接してそれに対応する領域、即ち、各ドロワー用上段収納領域５Ｂ、中段収納領域５Ｃ、下段収納領域５Ｄの左右それぞれに対応する領域を開閉する扉であり、これら扉３の裏面両側部から貯蔵室５方向に延在する扉側レール２８、２８が設けられている。この扉側レール２８、２８の後端下部には、扉側ローラ２９、２９が取り付けられている。また、この扉側レール２８、２８には、上面が開口された籠３０が取り外し自在に保持されている。そして、各扉側レール２８、２８の下端には、この籠３０の下側にトレイ３１を取り外し可能に保持するためのトレイ保持部２８Ａ、２８Ａが形成されている。
【００４０】
これにより、籠３０によって各収納領域の通気性を確保することができるため、貯蔵室５全体の冷却効率を向上させることができるようになる。また、当該籠３０の下側には、取り外し可能なトレイ３１が設けられているため、上段の収納領域にて薬剤の瓶などが破損などし、液体や粉体等の薬剤が飛散した場合であっても、下側の収納領域まで汚染する不都合を回避することができるようになる。
【００４１】
他方、本体４の貯蔵室５側面には、断面略コ字状の本体側レール３２、３２が設けられており、この本体側レール３２の前端には、本体側ローラ３３が設けられている。そして、両側の本体側ローラ３３上に各扉側レール２８を載置し、当該ローラ３３により扉側レール２８を前後に滑動可能とする。そのため、扉３を各収納領域に収納した際に前部が落下する不都合を回避することができる。また、扉側ローラ２９は本体側レール３２内に滑動自在に係合することで、扉３を前方に引き出した際にも後部が跳ね上がらず、また、収納した際にも後部が落下する不都合を回避することができる。これによって、扉３及び籠３０は前後方向に安定して引き出し自在となる。
【００４２】
また、この扉３の前面には、手指を掛けて当該扉３を前方に引き出すための把手部３５が形成されていると共に、当該把手部３５の下方には、詳細は後述する扉操作パネル３６及び表示部３７が設けられている。
【００４３】
そして、この扉３は施錠機構を備えている。本実施例において扉３の施錠機構は電気式の施錠機構であり、扉３を収納した際に、当該扉３の上部裏面が当接する前記前板１１に、施錠装置４０が設けられている。この施錠装置４０は、扉３内に配設される扉用制御装置４１により、係止部材４２が回動制御される。そして、扉３の上部裏面には、当該係止部材４２に対応する位置に前記係止部材４２と係合可能とする係合部材４３が設けられている。これにより、施錠時には係止部材４２が扉３側の係合部材４３に係止され、扉３の前方への引き出しを規制する。解錠時には、図１０の部分拡大図に示すように係止部材４２を回動させて扉３側の係合部材４３との係合を開放することにより、扉３の前方への引き出しを可能とする。
【００４４】
係止部材４２による施解錠制御は、扉用制御装置４１により行われ、非通電時は常に係止部材４２が固定されて施錠状態とされ、通電時に、係止部材４２の固定状態が解除されて解錠状態とされ扉３が開くようにされている。尚、この扉用制御装置４１の施解錠制御は、扉３の前面に設けられた前記扉操作パネル３６を操作することにより行われる。
【００４５】
この扉用制御装置４１は、所定のＩＤを記憶することが可能であり、予め扉操作パネル（ＩＤ入力手段）３６に設けられるテンキーなどにより入力されたＩＤを照合することで、当該扉３の施解錠制御を行うものとする。尚、当該ＩＤは、７セグメントＬＥＤを備える表示部３７に表示される。これにより、管理者以外の者が扉３の施錠装置を解錠することができないこととなるため、厳重な保安管理が可能となる。
【００４６】
特に、他の扉３が解錠され、当該扉３の籠３０が取り出され、下方と連通状態とされても、各収納領域は、上述した如く物品の移動を規制する仕切部材６により仕切られているため、上側、下側又は斜め上下方向の収容領域の籠３０に収納された薬剤等の収納物品を取り出すことが不可能となる。そのため、仮に、籠３０や仕切部材６の格子の隙間から手指が入った場合であっても、物品の移動は規制されているため、不用意に外部に持ち出される不都合を回避することができる。
【００４７】
また、当該仕切部材６は、上述したように垂直方向、斜め上下方向及び水平方向の移動が規制されているため、当該保冷庫１を分解しない限り、当該仕切部材６を取り外すことができない。そのため、分解するための道具を使用することなく他の扉３に対応する収納領域の物品を取り出すことができないこととなり、より一層厳重な保管管理が可能となる。また、仕切部材６は、上述したように通気性を有するため、貯蔵室５内の冷気循環を妨げないこととなり、冷却効率の向上を図ることができる。
【００４８】
更に、本実施例の各扉３に対応する籠３０には、図８に示す如き温度計３８が取り付けられており、当該温度計３８は対応する扉３に設けられる扉用制御装置４１に接続される。そして、この温度計３８にて検出された温度は、扉３の表示部３７に表示される。これにより、それぞれの扉３に対応する収納領域内の温度をそれぞれ検出し、表示することが可能となるため、貯蔵庫５全体に対し、一つ乃至二つの温度検出手段により検出された温度に基づいて管理を行い場合に比して、より適切な検出温度に基づいて収容される薬剤等の物品の管理を行うことができるようになる。そのため、例えば、他の扉２又は３が開放されていることで、貯蔵室５内の温度が上昇し、貯蔵室５内の温度が不均一な状態となり、検出される温度と、実際の温度とが異なる場合であっても、当該実施例によれば、各扉３に対応する収納領域ごとに温度を検出することができるため、確実な温度管理を行うことができるようになる。
【００４９】
また、この扉用制御装置４１は、内部に収容されている物品名や消費期限などをも扉側操作パネル３６に記憶可能とし、当該情報を表示部３７に表示可能とする。これにより、扉３を開放することなく内部に収容された物品を確認することができるため、必要以上に扉３を開放することで内部の温度環境を変化させる不都合を回避することができ、利便性が向上する。尚、当該表示部３７は、他のＩＤ表示や温度情報などと切り替え表示としても良い。
【００５０】
これにより、各扉３ごとに、管理者を限定することができると共に、当該管理者は電気的に扉３に対応する収納領域内の在庫管理や温度管理、更には保安管理が可能となる。これにより、管理レベルが異なる薬剤などを同一の保冷庫１にて保存することが可能となり、厳重な管理が要求される薬剤等であっても、安全に保管することができるようになる。
【００５１】
また、本実施例における各扉用制御装置４１は、前記機械室１２内に配設される主制御装置２０に接続されており、常時、情報の送受信が行われている。そのため、主制御装置２０は、各扉用制御装置４１から送られた温度情報やＩＤ情報を保有する。この主制御装置２０に接続される主操作パネル２２によっても各扉３に対応するＩＤを入力することで、施解錠制御を行うことができる。また、各扉３に対応する収納領域内の在庫管理や温度管理なども行うことができる。そのため、予め設定されたＩＤを入力することで、全ての扉３の施解錠制御や在庫管理、更には温度管理を実行することが可能となり、利便性が向上する。
【００５２】
更に、本実施例において主制御装置２０は、図１１に示すように、本体４側面などに設けられたＬＡＮ出力端子４７を介して、例えば研究所などに設置される端末４８に接続可能とされる。そのため、保冷庫１が端末４８に接続されている状態で、各扉用制御装置４１から主制御装置２０に送信された温度情報やＩＤ情報などが、端末４８に送信される。これにより、当該端末４８によっても保冷庫１の各扉３ごとに対応する収納領域ごとに施解錠制御や在庫管理、更には温度管理を行うことができるようになる。
【００５３】
更にまた、当該端末４８に電気通信回線を通じて外部に当該主制御装置２０内の情報を出力可能としても良い。即ち、端末４８において外部から当該保冷庫１の情報を出力可能な機能、例えば所定のＩＤを入力することを条件に情報を取り出すことができるホームページに常時保冷庫１の各情報を掲載する。そして、例えば出張先などから電気通信可能な機器を用いて保冷庫１に関する情報要求があった場合に所定のＩＤを入力することを条件に当該保冷庫１の情報をダウンロードする。これにより、外部からも管理者が保冷庫１内の情報、例えば、温度情報などを確認することができ、利便性が向上する。尚、当該外部と送受信可能とすることで、保冷庫１が設置される場所に行くことなく、管理者が施解錠制御を行うことで、予め連絡された作業者が扉３の開閉作業を行うことができるようになる。
【００５４】
尚、本実施例では、電気式の施錠装置を使用しているが、電気式施錠装置の制御装置が故障などした場合など、緊急時に解錠できないと不都合が生じるため、各扉３の前面には、扉３側の結合部材４３を回動させる施解錠装置４９が設けられる。これにより、緊急時であっても、解錠することができ、利便性が向上する。
【００５５】
また、本実施例では、緊急時以外は電気式の施錠装置を使用しているが、電気式の施錠装置に限定するものではなく、機械式の施錠装置を各扉３に設けても良いものとする。尚、係る場合には、各扉３に別々の鍵を設けることで、それぞれ個別に管理することができるようになる。また、係る場合には、主制御装置２０は、各扉３に対応する収納領域の温度情報や在庫情報などを端末４８に送受信することにより、上述した場合と同様に、外部から各収納領域の温度情報や在庫情報を確認することができるようになる。
【００５６】
また、本実施例では、各扉３の収納領域に籠３０を備えているが、これ以外にも図１２に示すように扉３の裏面に対応する収納領域に上面に開口する物品収納用の収納部材５０を備え、当該収納部材５０を仕切板５１により複数室に区画し、これら各室に対し個別の小扉用施錠装置５２を備えた小扉５３を備えたものを使用しても良い。係る場合には、更に細かく分割して物品を管理することができるようになる。尚、小扉用施錠装置５２の施解錠を行う鍵は、当該扉３の解錠を行う鍵と兼用できるものとしても良い。これにより、所有する鍵の数を削減することができ、利便性が向上する。また、図１２では、板状部材により収納部材５０が形成されているが、これ以外にも、籠３０と同様に籠状に形成することで、より一層通気性の確保を図っても良い。
【図面の簡単な説明】
【００５７】
【図１】本発明の保冷庫の正面図である。
【図２】保冷庫の一部の扉を取り外した状態の正面図である。
【図３】図２の保冷庫の縦断側面図である。
【図４】仕切部材の取付状態を示す図である。
【図５】仕切部材及びフィルタを示す図である。
【図６】仕切部材の正面図である。
【図７】仕切部材の側面図である。
【図８】ドロワータイプの扉の斜視図である。
【図９】扉が開放されている状態の保冷庫の斜視図である。
【図１０】扉の施錠機構を示す断面図である。
【図１１】端末に接続された状態を示す保冷庫の斜視図である。
【図１２】他の実施例の扉の収容部材を示す斜視図である。
【符号の説明】
【００５８】
１    保冷庫
２    扉（観音開きタイプ）
３    扉（ドロワータイプ）
４    本体
５    貯蔵室
５Ａ  上段収納領域
５Ｂ  ドロワー用上段収納領域
５Ｃ  ドロワー用中段収納領域
５Ｄ  ドロワー用下段収納領域
６    仕切部材
７    仕切部材取付レール
８    フィルタ
２０  主制御装置
２１  前面パネル
２２  主操作パネル
２３  表示部
３０  籠
３１  トレイ
３６  扉操作パネル
３７  表示部
３８  温度計
４０  施錠装置
４１  扉用制御装置
４２  係止部材
４３  係合部材
４７  ＬＡＮ出力端子
【図１】
2006162106.tif 000003
【図２】
2006162106.tif 000004
【図３】
2006162106.tif 000005
【図４】
2006162106.tif 000006
【図５】
2006162106.tif 000007
【図６】
2006162106.tif 000008
【図７】
2006162106.tif 000009
【図８】
2006162106.tif 000010
【図９】
2006162106.tif 000011
【図１０】
2006162106.tif 000012
【図１１】
2006162106.tif 000013
【図１２】
2006162106.tif 000014